(57)【特許請求の範囲】
【請求項１】
端子金具を保持するコネクタ本体と、前記コネクタ本体に組み付けられるカバーとを備えるコネクタであって、
前記コネクタ本体が、円筒状の装着筒部と、前記装着筒部の外周面から外側に突出する複数のロック突起とを備え、
前記カバーが、前記装着筒部の外周面に沿って配置され、前記複数のロック突起と係合する複数のロック部を備えるとともに、前記複数のロック突起の間に前記装着筒部の外周面に沿って配置される干渉壁を備えるコネクタ。
【請求項２】
前記複数のロック部のうち一のロック部と、前記一のロック部と隣接する２つのロック部のうち一方のロック部との間隔が、前記一のロック部と他方のロック部との間隔と異なっている、請求項１に記載のコネクタ。
【請求項３】
前記カバーが、前記装着筒部の内周面に沿って配置される保護壁を備える、請求項１または請求項２に記載のコネクタ。
【発明の詳細な説明】
【技術分野】
【０００１】
本明細書によって開示される技術は、コネクタに関する。
【背景技術】
【０００２】
電線が接続された端子を保持するハウジングと、このハウジングに組み付けられて、ハウジングから引き出された電線を覆うカバーとを備えるコネクタが知られている（特許文献１参照）。カバーは、ハウジングに組み付けられるカバー本体部と、ハウジングから引き出された電線を曲げつつ特定の方向に引き出すための電線引き出し部とを備えている。
【先行技術文献】
【特許文献】
【０００３】
【特許文献１】特開２０１４−０５３０９１号公報
【発明の概要】
【発明が解決しようとする課題】
【０００４】
上記のコネクタでは、ハウジングにカバーを組み付ける際にカバーの向きを誤ると、電線を想定する方向に引き出せなくなるおそれがある。
【課題を解決するための手段】
【０００５】
本明細書によって開示されるコネクタは、端子金具を保持するコネクタ本体と、前記コネクタ本体に組み付けられるカバーとを備えるコネクタであって、前記コネクタ本体が、筒状の装着筒部と、前記装着筒部の外周面から外側に突出する複数のロック突起とを備え、前記カバーが、前記装着筒部の外周面に沿って配置され、前記複数のロック突起と係合する複数のロック部を備えるとともに、前記複数のロック突起の間に前記装着筒部の外周面に沿って配置される干渉壁を備える。
【０００６】
上記の構成によれば、コネクタ本体に対するカバーの組み付け向きを間違えて組み付けようとした場合には、ロック突起に干渉壁が干渉するために、組み付けができない。これにより、コネクタ本体に対するカバーの誤組み付けを規制することができる。
【０００７】
上記の構成において、前記複数のロック部のうち一のロック部と、前記一のロック部と隣接する２つのロック部のうち一方のロック部との間隔が、前記一のロック部と他方のロック部との間隔と異なっていても構わない。
【０００８】
このような構成によれば、コネクタ本体に対するカバーの組み付け向きを間違えて組み付けようとした場合には、ロック部とロック突起との位置が整合しないために、組み付けができない。これにより、コネクタ本体に対するカバーの誤組み付けを規制することができる。
【０００９】
また、前記カバーが、前記装着筒部の内周面に沿って配置される保護壁を備えていても構わない。
このような構成によれば、カバーがこじられ、装着筒部に対して傾こうとした場合に、保護壁が装着筒部に当接することによって、ロック部に過剰な負荷がかかることが回避され、ロック部の変形や破損が回避される。
【発明の効果】
【００１０】
本明細書によって開示される技術によれば、コネクタ本体に対するカバーの誤組み付けを規制することができるコネクタを提供できる。
【図面の簡単な説明】
【００１１】
【図１】実施形態の充電用コネクタの側面図
【図２】コネクタ本体の分解斜視図
【図３】コネクタ本体の正面図
【図４】図３のＡ−Ａ線断面図
【図５】リテーナの斜視図
【図６】リテーナの背面図
【図７】カバーの側面図
【図８】カバーの斜視図１
【図９】カバーの斜視図２
【図１０】カバーの斜視図３
【図１１】リテーナと、リテーナに取り付けられたカバーとを示す斜視図
【図１２】リテーナと、リテーナに取り付けられたカバーとを示す側面図
【図１３】図１２のＢ−Ｂ線断面図
【発明を実施するための形態】
【００１２】
実施形態１を図１〜図１３を参照しつつ説明する。本実施形態の充電用コネクタ１（コネクタに該当）は、電気自動車やプラグインハイブリッド車等の車両に備えられる、ＣＨＡｄｅＭＯ規格に適合した急速充電用のコネクタであって、車両に搭載されたバッテリを充電するために用いられる。この充電用コネクタ１に対し、給電設備側に配される給電用コネクタが嵌合接続されることで、バッテリへの充電が行われるようになっている。
【００１３】
充電用コネクタ１は、図１および図２に示すように、コネクタ本体１０と、このコネクタ本体１０に組み付けられるカバー３０とを備える。
【００１４】
コネクタ本体１０は、図２に示すように、車両のボディパネルに固定されるインレットハウジング１１と、このインレットハウジング１１に保持される複数の充電用端子１９（端子金具に該当）および複数の信号用端子（図示せず）と、インレットハウジング１１に組み付けられるリテーナ２１とを備える。図２では、複数の充電用端子１９および信号用端子のうち１つの充電用端子１９のみを例示している。
【００１５】
インレットハウジング１１は、合成樹脂製であって、図２および図３に示すように、コネクタ嵌合部１２と、取付板１５と、リテーナ装着筒部１６と、４つの端子収容部１７、１８とを備えている。
【００１６】
コネクタ嵌合部１２は、給電用コネクタが嵌合される部分であって、図４に示すように、円板状の奥壁部１３と、この奥壁部１３の周縁から奥壁部１３に対して垂直に延びる円筒状のフード部１４とを備える有底筒状の部分である。
【００１７】
取付板１５は、図２、図３および図４に示すように、フード部１４から外側に向かって延びる、矩形の外形を有する板状の部分である。
【００１８】
リテーナ装着筒部１６は、リテーナ２１が組み付けられる部分であって、図２および図４に示すように、コネクタ嵌合部１２の背面側に配される、フード部１４よりも外径が一回り大きな円筒状の部分である。リテーナ装着筒部１６は、軸心の位置がコネクタ嵌合部１２の軸心の位置とはずれて配置されており、一部が奥壁部１３から連なり、他の大部分が取付板１５から連なっている。
【００１９】
４つの端子収容部１７、１８は、図３に示すように、２つの第１端子収容部１７と、２つの第２端子収容部１８とで構成されている。２つの第１端子収容部１７のそれぞれの内部には、充電用端子１９が収容されている。２つの第２端子収容部１８のそれぞれの内部には、信号用端子が収容されている。
【００２０】
インレットハウジング１１は、取付板１５がボディパネルに固定され、リテーナ装着筒部１６を車両の内部に向けて配置される。
【００２１】
リテーナ２１は、図５および図６に示すように、インレット用嵌合部２２と、カバー用嵌合部２７と、４つの端子抜け止め部２５、２６とを備えている。
【００２２】
インレット用嵌合部２２は、円板状の主板部２３と、この主板部２３から連なり、主板部２３に対して垂直に延びる筒状のインレット嵌合筒部２４とを備えている。インレット嵌合筒部２４は、外筒部と内筒部とを備える二重筒となっており、内筒部の外周面には、図４に示すように、シールリングＳが装着されている。
【００２３】
リテーナ２１がインレットハウジング１１に装着された状態では、リテーナ装着筒部１６がインレット嵌合筒部２４の外筒部と内筒部との隙間に進入し、内筒部とリテーナ装着筒部１６との隙間がシールリングＳによりシールされる。
【００２４】
４つの端子抜け止め部２５、２６は、図６に示すように、２つの第１端子抜け止め部２５と、２つの第２端子抜け止め部２６とで構成されている。２つの第２端子抜け止め部２６のそれぞれは、一部が内筒部２４と接して配置されている。
【００２５】
リテーナ２１がインレットハウジング１１に組み付けられた状態では、２つの第１端子抜け止め部２５のそれぞれが、２つの第１端子収容部１７のそれぞれと嵌合し、充電用端子１９を抜け止めする。また、２つの第２端子抜け止め部２６のそれぞれが、２つの第２端子収容部１８のそれぞれと嵌合し、信号用端子を抜け止めする。
【００２６】
カバー用嵌合部２７は、図５および図６に示すように、主板部２３から、外筒部２３および内筒部２４とは反対側に延びる筒状のカバー装着筒部２８（装着筒部に該当）と、このカバー装着筒部２８の外周面に配置される４つのロック突起２９Ａ、２９Ｂ、２９Ｃ、２９Ｄとを備える。カバー装着筒部２８は、図５に示すように、内筒部２４よりも小さい円筒状に構成されており、軸心の位置が内筒部２４の軸心の位置とはずれて配置されている。
【００２７】
４つのロック突起２９Ａ、２９Ｂ、２９Ｃ、２９Ｄのそれぞれは、カバー装着筒部２８の外周面から外側に向かって突出する突起である。図６に示すように、４つのロック突起２９Ａ、２９Ｂ、２９Ｃ、２９Ｄのうち一のロック突起２９Ａと、これと隣接する２つのロック突起２９Ｂ、２９Ｄのうち一方のロック突起２９Ｂとの、カバー装着筒部２８の外周面に沿った距離Ｄｐ１は、ロック突起２９Ａと他方のロック突起２９Ｄとの、カバー装着筒部２８の外周面に沿った距離Ｄｐ２と異なっている。また、残りのロック突起２９Ｃと上記一方のロック突起２９Ｂとの、カバー装着筒部２８の外周面に沿った距離は、上記のロック突起２９Ａ−ロック突起２９Ｄ間の距離Ｄｐ２と等しく、ロック突起２９Ｃと他方のロック突起２９Ｄとの、カバー装着筒部２８の外周面に沿った距離は、上記のロック突起２９Ａ−ロック突起２９Ｂ間の距離Ｄｐ１と等しくなっている。
【００２８】
カバー３０は、各充電用端子１９および信号用端子に接続されて端子収容部１７、１８から導出された電線を覆う部材であって、図７、図８、図９および図１０に示すように、カバー本体３１と、このカバー本体３１から連なる電線導出部３７と、４つのロック枠４２Ａ、４２Ｂ、４２Ｃ、４２Ｄ（ロック部に該当）と、３つの干渉壁４４Ａ、４４Ｂ、４４Ｃとを備えている。
【００２９】
カバー本体３１は、カバー用嵌合部２７に組み付けられる部分であって、図７および図８に示すように、略円板状の底壁部３２と、この底壁部３２の周縁から延びる周壁部３３とを備え、一端に開口する有底筒状に構成されている。
【００３０】
周壁部３３は、図７および図８に示すように、底壁部３２の周縁から延び、底壁部３２から離れるにしたがって拡径する筒状の拡径部３４と、この拡径部３４から連なる、径が一定の円筒状の直筒部３５（保護壁に該当）とで構成されている。直筒部３５は、図１３に示すように、カバー装着筒部２８の内径よりもわずかに小さな外径を有しており、カバー３０がリテーナ２１に組み付けられた際には、直筒部３５において底壁部３２とは反対側の半分程度の部分が、カバー装着筒部２８の内部に入り込むようになっている。
【００３１】
周壁部３３は、図９に示すように、電線導出口３６を有している。電線導出口３６は、カバー本体３１の開口縁から底壁部３２まで切り欠かれたような形状の凹部である。
【００３２】
電線導出部３７は、電線を端子収容部１７、１８からの導出方向とは異なる方向に導く部分であって、図９および図１０に示すように、底壁部３２の周縁および電線導出口３６の開口縁から、カバー本体３１の軸方向とは垂直方向に延びるＵ字溝状に構成されている。
【００３３】
周壁部３３は、図９および図１０に示すように、２つの逃がし溝３８を有している。２つの逃がし溝３８のそれぞれは、カバー本体３１の開口縁（周壁部３３において底壁部３２とは反対側の端縁）から底壁部３２に向かって切り欠かれたような形状の凹部であって、電線導出部３７の両側に、電線導出部３７から４分の１周離れた位置に、それぞれ配置されている。カバー３０がリテーナ２１に組み付けられた際には、図１３に示すように、２つの第２端子抜け止め部２６のそれぞれにおいて内筒部２４と接している部分が、それぞれが２つの逃がし溝３８のそれぞれの内側に入り込むことで、カバー３０と第２端子抜け止め部２６との干渉を避けることができるようになっている。
【００３４】
カバー３０は、図７および図８に示すように、直筒部３５から外側に向かって延びる鍔状のフランジ部４１を備えており、このフランジ部４１から、４つのロック枠４２Ａ、４２Ｂ、４２Ｃ、４２Ｄおよび３つの干渉壁４４Ａ、４４Ｂ、４４Ｃが延びている。
【００３５】
４つのロック枠４２Ａ、４２Ｂ、４２Ｃ、４２Ｄのそれぞれは、４つのロック突起２９Ａ、２９Ｂ、２９Ｃ、２９Ｄのそれぞれに係合する部分である。４つのロック枠４２Ａ、４２Ｂ、４２Ｃ、４２Ｄのそれぞれは、図７および図８に示すように、フランジ部４１の延出端から、底壁部３２とは反対側に向かって延び、直筒部３５と間隔を空けて配される板状の部分であって、中央部分に、４つのロック突起２９Ａ、２９Ｂ、２９Ｃ、２９Ｄのそれぞれを受け入れるロック孔４３を有している。
【００３６】
３つの干渉壁４４Ａ、４４Ｂ、４４Ｃのそれぞれは、図６および図７に示すように、フランジ部４１の延出端から、底壁部３２とは反対側に向かって延び、直筒部３５と間隔を空けて配される板状の部分である。図８および図９に示すように、３つの干渉壁４４Ａ、４４Ｂ、４４Ｃののうち第１干渉壁４４Ａは、カバー本体３１の中心軸を挟んで電線導出部３７と反対側であって、隣り合うロック枠４２Ｃとロック枠４２Ｄとの間に配され、第２干渉壁４４Ｂは、隣り合うロック枠４２Ｂとロック枠４２Ｃとの間に、一方の逃がし溝３８を外側から覆うように配され、第３干渉壁４４Ｃは、隣り合うロック枠４２Ｄとロック枠４２Ａとの間に、他方の逃がし溝３８を外側から覆うように配置されている。
【００３７】
カバー３０をリテーナ２１に組み付ける際には、図１３に示すように、ロック枠４２Ａ、４２Ｂ、４２Ｃ、４２Ｄおよび干渉壁４４Ａ、４４Ｂ、４４Ｃと直筒部３５との間にカバー装着筒部２８が進入する。カバー３０がリテーナ２１に対して正規位置に組み付けられると、４つのロック枠４２Ａ、４２Ｂ、４２Ｃ、４２Ｄのそれぞれが、カバー装着筒部２８の外周面に沿って、対応する４つのロック突起２９Ａ、２９Ｂ、２９Ｃ、２９Ｄのそれぞれと整合する位置に配置され、各ロック枠４２Ａ、４２Ｂ、４２Ｃ、４２Ｄのロック孔４３の内部に各ロック突起２９Ａ、２９Ｂ、２９Ｃ、２９Ｄが入り込むことで、ロック枠４２Ａ、４２Ｂ、４２Ｃ、４２Ｄにロック突起２９Ａ、２９Ｂ、２９Ｃ、２９Ｄが係合する。これにより、カバー３０がリテーナ２１に対して組み付け状態に保持される。
【００３８】
図１３に示すように、一のロック枠４２Ａと、これと隣接する２つのロック枠４２Ｂ、４２Ｄのうち一方のロック枠４２Ｂとの、カバー装着筒部２８の外周面に沿った距離Ｄｆ１は、ロック枠４２Ａと他方のロック枠４２Ｄとのカバー装着筒部２８の外周面に沿った距離Ｄｆ２と異なっている。また、残りのロック枠４２Ｃと上記一方のロック枠４２Ｂとの、カバー装着筒部２８の外周面に沿った距離は、上記したロック枠４２Ａ−ロック枠４２Ｄ間の距離Ｄｆ２と等しく、ロック枠４２Ｃと他方のロック枠４２Ｄとの間隔は、上記したロック枠４２Ａ−ロック枠４２Ｂ間の距離Ｄｆ１と等しくなっている。これにより、リテーナ２１に対するカバー３０の組み付け向きを間違えて組み付けようとした場合には、ロック枠４２Ａ、４２Ｂ、４２Ｃ、４２Ｄとロック突起２９Ａ、２９Ｂ、２９Ｃ、２９Ｄとの位置が整合せず、組み付けができないようになっている。
【００３９】
また、カバー３０がリテーナ２１に対して組み付けられた状態では、図１３に示すように、直筒部３５がカバー装着筒部２８の内周面に沿って配置され、３つの干渉壁４４Ａ、４４Ｂ、４４Ｃがカバー装着筒部２８の外周面に沿って配置される。これにより、カバー３０がこじられ、カバー装着筒部２８に対して傾こうとした場合には、直筒部３５と３つの干渉壁４４Ａ、４４Ｂ、４４Ｃとがカバー装着筒部２８に当接することによって、ロック枠４２Ａ、４２Ｂ、４２Ｃ、４２Ｄに過剰な負荷がかかることが回避され、ロック枠４２Ａ、４２Ｂ、４２Ｃ、４２Ｄの変形や破損が回避される。
【００４０】
特に、第１干渉壁４４Ａは、カバー本体３１の中心軸を挟んで電線導出部３７と反対側に配置されている。これにより、特に電線が引っ張られて電線導出部３７がリテーナ２１から浮く（図１１において電線導出部３７が上方に変位する）方向にカバー３０が傾こうとした際に、第１干渉壁４４Ａがカバー装着筒部２８に当接することで、ロック枠４２Ａ、４２Ｂ、４２Ｃ、４２Ｄに過剰な負荷がかかることを回避できるようになっている。また、第２干渉壁４４Ｂ、第３干渉壁４４Ｃは、周壁部３３に配置された２つの逃がし溝３８を外側から覆うように配置されている。これにより、カバー３０において逃がし溝３８が配置された領域を補強できるようになっている。
【００４１】
以上のように本実施形態によれば、充電用コネクタ１は、充電用端子１９および信号用端子を保持するインレットハウジング１１と、このインレットハウジング１１に組み付けられて充電用端子１９および信号用端子を抜け止めするリテーナ２１とを備えるコネクタ本体１０と、リテーナ２１に組み付けられるカバー３０とを備えるコネクタであって、リテーナ２１が、筒状のカバー装着筒部２８と、このカバー装着筒部２８の外周面から外側に突出する複数のロック突起２９Ａ、２９Ｂ、２９Ｃ、２９Ｄとを備え、カバー３０が、カバー装着筒部２８の外周面に沿って配置され、複数のロック突起２９Ａ、２９Ｂ、２９Ｃ、２９Ｄと係合する複数のロック枠４２Ａ、４２Ｂ、４２Ｃ、４２Ｄを備えるとともに、複数のロック突起２９Ａ、２９Ｂ、２９Ｃ、２９Ｄの間にカバー装着筒部２８の外周面に沿って配置される干渉壁４４Ａ、４４Ｂ、４４Ｃを備える。
【００４２】
上記の構成によれば、リテーナ２１に対するカバー３０の組み付け向きを間違えて組み付けようとした場合には、ロック突起２９Ａ、２９Ｂ、２９Ｃ、２９Ｄに干渉壁４４Ａ、４４Ｂ、４４Ｃが干渉するために、組み付けができない。これにより、リテーナ２１に対するカバー３０の誤組み付けを規制することができる。
【００４３】
また、複数のロック枠４２Ａ、４２Ｂ、４２Ｃ、４２Ｄのうち一のロック枠４２Ａと、これと隣接する２つのロック枠４２Ｂ、４２Ｄのうち一方のロック枠４２Ｂとの間隔Ｄｆ１は、ロック枠４２Ａと他方のロック枠４２Ｄとの間隔Ｄｆ２と異なっている。
【００４４】
このような構成によれば、リテーナ２１に対するカバー３０の組み付け向きを間違えて組み付けようとした場合には、ロック枠４２Ａ、４２Ｂ、４２Ｃ、４２Ｄとロック突起２９Ａ、２９Ｂ、２９Ｃ、２９Ｄとの位置が整合しないために、組み付けができない。これにより、リテーナ２１に対するカバー３０の誤組み付けを規制することができる。
【００４５】
さらに、カバー３０が、カバー装着筒部２８の内周面に沿って配置される直筒部３５を備える。
【００４６】
このような構成によれば、カバー３０がこじられ、カバー装着筒部２８に対して傾こうとした場合には、直筒部３５がカバー装着筒部２８に当接することによって、ロック枠４２Ａ、４２Ｂ、４２Ｃ、４２Ｄに過剰な負荷がかかることが回避され、ロック枠４２Ａ、４２Ｂ、４２Ｃ、４２Ｄの変形や破損が回避される。
【００４７】
＜他の実施形態＞
本明細書で開示される技術は上記記述及び図面によって説明した実施形態に限定されるものではなく、例えば次のような種々の態様も含まれる。
（１）上記実施形態では、コネクタ本体１０がインレットハウジング１１とリテーナ２１とを備え、カバー３０がリテーナ２１に組み付けられていたが、例えば、カバーがインレットハウジングに直接組み付けられていても構わない。
【００４８】
（２）上記実施形態では、カバー３０は、４つのロック枠４２Ａ、４２Ｂ、４２Ｃ、４２Ｄと３つの干渉壁４４Ａ、４４Ｂ、４４Ｃとを備えていたが、ロック枠と干渉壁の数は、上記実施形態の限りではなく、任意に設定することができる。
【００４９】
（３）上記実施形態では、コネクタが、電気自動車やプラグインハイブリッド車等の車両に備えられる急速充電用のコネクタであったが、コネクタの種類は上記実施形態の限りではなく、コネクタ本体と、このコネクタ本体に組み付けられるカバーとを備えたものであればよい。
【符号の説明】
【００５０】
１…充電用コネクタ（コネクタ）
１０…コネクタ本体
１９…充電用端子（端子金具）
２８…カバー装着筒部（装着筒部）
２９Ａ、２９Ｂ、２９Ｃ、２９Ｄ…ロック突起
３０…カバー
３５…直筒部（保護壁）
４２Ａ、４２Ｂ、４２Ｃ、４２Ｄ…ロック枠（ロック部）
４４Ａ…第１干渉壁（干渉壁）
４４Ｂ…第２干渉壁（干渉壁）
４４Ｃ…第３干渉壁（干渉壁）
【図１】
0006607401.tif 000002
【図２】
0006607401.tif 000003
【図３】
0006607401.tif 000004
【図４】
0006607401.tif 000005
【図５】
0006607401.tif 000006
【図６】
0006607401.tif 000007
【図７】
0006607401.tif 000008
【図８】
0006607401.tif 000009
【図９】
0006607401.tif 000010
【図１０】
0006607401.tif 000011
【図１１】
0006607401.tif 000012
【図１２】
0006607401.tif 000013
【図１３】
0006607401.tif 000014